(57)【特許請求の範囲】
【請求項１】
第１の開口を形成する第１の部分と第２の開口を形成する第２の部分であって、前記第１の部分が、バルブを通る流体の通過を実質上防止するために前記第１の開口と前記第２の開口が一致しない閉鎖構造と、流体を通過させるために前記第１の開口と前記第２の開口が一致する開放構造との間で、前記第２の部分に対して横方向に移動可能であり、前記第１および第２の部分が、前記バルブ全体にわたる圧力差に応じて前記閉鎖構造で係止し前記第１及び第２の部分を横方向へ相対移動させないように、かつ前記バルブ全体にわたる圧力差がほぼゼロになると前記閉鎖構造の係止が解除されるように構成されている第１の部分及び第２の部分と、
前記第１の部分を前記閉鎖構造から前記開放構造へ移動させる開放手段と、
前記第１の部分を前記開放構造から前記閉鎖構造へ移動させる閉鎖手段と、
前記第１の部分が前記開放構造にあるときに前記閉鎖手段を選択的に始動させるためのトリガ手段とを備え、
前記開放手段は、前記第１の部分が前記閉鎖構造に係止されているときに付勢力を与えるように構成された開放バイアス手段を備え、
前記付勢力は、前記第１及び第２の部分の横方向への相対移動を生じさせるように作用し、
前記バルブ全体にわたる圧力差が所定値を下回ると、前記閉鎖構造から前記開放構造へと自動で移動するように前記第１及び第２の部分が付勢されているバルブ。
【請求項２】
請求項１記載のバルブにおいて、
前記第１および第２の部分は、前記第１および第２の部分間の相対移動を阻止する圧力差により前記閉鎖構造で係止するように構成され、前記開放バイアス手段は、前記バルブ全体にわたる圧力差により前記第１および第２の部分が前記閉鎖構造で係止されている間、付勢力を提供するように構成されているバルブ。
【請求項３】
請求項１又は２記載のバルブにおいて、
前記第１および第２の部分が前記閉鎖構造で係止されると、前記第１の部分が、前記バルブ全体にわたる圧力差によって前記第２の部分に対して封止されるように構成されているバルブ。
【請求項４】
請求項１〜３のいずれか一項に記載のバルブにおいて、
前記第１および第２の部分のうち１つまたは複数が略プレート状であるバルブ。
【請求項５】
請求項１〜４のいずれか一項に記載のバルブにおいて、
前記閉鎖手段は、前記開放バイアス手段による付勢力を越えるように構成された閉鎖力生成手段を備えるバルブ。
【請求項６】
請求項１〜５のいずれか一項に記載のバルブにおいて、
前記トリガ手段が、前記バルブ全体にわたる圧力とは関係なく動作可能であるバルブ。
【請求項７】
請求項１〜６のいずれか一項に記載のバルブにおいて、
前記第１の部分が、前記第２の部分の封止面によって形成される平面内で実質的に移動するように制限されるバルブ。
【請求項８】
請求項１〜７のいずれか一項に記載のバルブにおいて、
前記開放バイアス手段によって提供される前記付勢力の強度が変更可能であるバルブ。
【請求項９】
請求項１〜８のいずれか一項に記載のバルブにおいて、
前記開放バイアス手段によって提供される前記付勢力が非線形であるバルブ。
【請求項１０】
請求項１〜９のいずれか一項に記載のバルブにおいて、
前記開放手段が選択的に始動可能であるバルブ。
【請求項１１】
請求項１〜１０のいずれか一項に記載のバルブにおいて、
始動後、前記閉鎖手段は、前記第１の部分が前記閉鎖構造にある間は閉鎖力を提供するように構成されているバルブ。
【発明の詳細な説明】
【技術分野】
【０００１】
本発明は、概して、２つの別個の空間の間の気体および／または液体の流れを制御するバルブに関する。特に、本発明は、個々の空間内のそれぞれにおける圧力が、ある段階では、空間の間に圧力差がなく、別の段階では圧力差があるように変動する可能性のある用途で使用されるバルブに関する。
【背景技術】
【０００２】
このようなバルブは、１つには気体の圧縮および／または膨張の際に適用される。
【発明の概要】
【発明が解決しようとする課題】
【０００３】
しかしながら、本発明のバルブは、高効率、広バルブ面積、高速バルブ反応、および低圧力損失を必要とする用途での使用に適するであろう。本発明は、エンジン、真空ポンプ、コンプレッサ、エキスパンダ、その他のポンプ、ダクト、およびパイプ流の状況を含むが、それらに限定されない。
【課題を解決するための手段】
【０００４】
本発明によると、第１の開口を形成する第１の部分と第２の開口を形成する第２の部分とを備えるバルブであって、バルブを通る流体の通過を実質上防止するために第１の開口と第２の開口が一致しない閉鎖構造と、流体を通過させるために第１の開口と第２の開口のアレイが一致する開放構造との間で、第１の部分が第２の部分に対して移動可能であるバルブが提供される。
【０００５】
一実施形態では、第１および第２の部分がバルブ全体にわたる圧力差に応じてて、閉鎖構造で係止するように構成されている。このように、いったんバルブ全体にわたる圧力差が所定レベル未満に低減すると、第１および第２の部分は閉鎖構造から開放構造に自動的に移動するように付勢することができる。一実施形態では、第１および第２の部分が閉鎖構造で係止されると、さらに第１の部分はバルブ全体にわたる圧力差によって第２の部分に対して封止されるように構成することができる。このように、圧力差は、閉鎖位置にあるときは第１の部分と第２の部分との間の相対運動を防止し、封止力を提供するために使用することができる。
【０００６】
バルブ全体にわたる圧力差が所定レベル未満に低下すると、第１および第２の部分は閉鎖構造において解除するように構成することができる。たとえば、バルブ全体にわたる圧力差がほぼゼロに近づくと、第１および第２の部分は、閉鎖構造において解除するように構成することができる。バルブ全体にわたる圧力差がほぼゼロまで下がると、このようなバルブは、係止され封止された構造から自動的に解放される。バルブはバルブが非荷重または軽荷重であり、２つの空間の間に圧力差が全くないあるいはほとんどないときのみに移動するため、摩耗を最小限にとどめられる。つまり、バルブは必要に応じて無潤滑状態にすることができる。
【０００７】
第１および第２の部分のうち少なくとも１つは、略プレート状とすることができる。第１および第２の部分は、比較的軽量にすることができる。このように、軽量バルブ部材がバルブ全体にわたる小さな圧力差によっても適所に係止され、小さなエネルギー入力で迅速なバルブ運動を提供するのに使用可能なバルブを提供することができる。
【０００８】
閉鎖構造において第１の開口と第２の開口とが一致せず、開放構造において第１の開口と第２の開口とが一致するように、第１の部分は第２の部分に対して横方向に移動可能とすることができる。このように、第１の部分は、第１および第２の部分が開放構造にあるときに気体の流路から外れて保持されるため、振動傾向が回避され、空気はバルブを通る制限されないバルブ通路を有する。
【０００９】
第１の部分は、第２の部分に対して線形に移動する（すなわち、線形摺動バルブを形成する）ように構成する、あるいは第２の部分に対して回転する（すなわち、回転摺動バルブを形成する）ように構成することができる。第１の部分は、開放構造と閉鎖構造との間の移動中、第２の部分の封止面によって支持することができる。好都合なことに、第２の部分に対する第１の部分の摺動運動は、自己清浄機構として作用する傾向がある。第１の部分は、封止面の表面と平行に移動するように構成することができる。封止面の表面は、平面、単独の湾曲面（たとえば、円筒状面）、または回転面とすることができる。
【００１０】
一実施形態では、第１の部分は、第２の部分の封止面の表面にほぼ沿って移動するように制限することができる。
第１および第２の部分は、第１の部分と第２の部分との間の制限摩擦によって、バルブ全体にわたる圧力差が存在するときに閉鎖構造で係止するように構成することができる。制限摩擦に頼ることができない状況下であっても、第１および第２の部分を閉鎖構造に維持するため、圧力差によって係止手段を提供することができる。係止手段は、第１の部分と第２の部分との間の横方向運動に対して追加の抵抗を提供する正圧駆動係止機構（たとえば、ラッチ機構）または静圧始動幾何制約（たとえば、保持突起またはスタッド）を備えることができる。
【００１１】
バルブは、第１の部分を閉鎖構造から開放構造に移動させる開放手段と、第１の部分を開放構造から閉鎖構造に移動させる閉鎖手段とを備えることができる。開放手段および閉鎖手段は２つの別個の機構であってもよいし、単独の機構（たとえば、単独の空気式アクチュエータ）を備えていてもよい。
【００１２】
一実施形態では、開放手段は、第１の部分が閉鎖構造にあるときに付勢力を与えるように構成された開放バイアス手段を備えることができ、バルブは、第１の部分が開放構造にあるときに閉鎖手段を選択的に始動させるトリガ手段をさらに備えることができる。このように、圧力がバルブをまだ適所に係止している間、開放手段はバルブに付勢力を印加する役割を果たし、圧力差によって生成される係止力（たとえば、摩擦力）を付勢力が超えると、バルブが圧力均等化または略圧力均等化の時点で開放される。
【００１３】
閉鎖手段は、開放手段を越えるように構成された閉鎖力生成手段（たとえば、閉鎖バイアス手段）を備えることができる。バルブ全体にわたる圧力差は開放力生成装置の強度とバルブの封止面積とに関係するが、閉鎖力生成装置の強度には関係しない。トリガ手段の動作はバルブ全体にわたる圧力と無関係であってもよい。このようにして、閉鎖またはトリガタイミングは、様々なバルブ閉鎖位置を可能にするように変動させることができる。
【００１４】
一実施形態では、閉鎖力生成手段は予荷重力生成装置を備えるため、力生成装置に予加重を与えるのにかかる時間に対して閉鎖事象が速くなる。別の実施形態では、第１の部分と第２の部分のうちの一方が、閉鎖手段を位置決めしてさらにリセットする１つまたは複数の閉鎖ピンを収容する位置スロットを備えることができる。同様に、第１の部分と第２の部分のうちの一方が、１つまたは複数の開放ピンを配置することのできる１つまたは複数の位置穴を備えることができる。
【００１５】
閉鎖位置は、閉鎖力生成装置と組み合わせて１つまたは複数の正確に配置されたピンによって制御することができ、可撓プレート状部材はその間でピンと張って保持される。別の実施形態では、開放構造にあるとき、第２の部分に対する第１の部分の横方向位置は、開放バイアス手段と組み合わせて１つまたは複数の正確に配置されたピンによって制御することができ、該プレートはその間でピンと張って保持される。
【００１６】
バルブは、第１の部分が圧力差によって閉鎖構造で係止されるときに閉鎖手段を選択的に離脱させるリセット手段をさらに備えることができる。バルブの閉鎖は、サイクル中の選択可能な変動する点で機械的に始動させることができる。
【００１７】
開放手段は、開放ハウジング手段、開放ピン手段、および開放バネ手段を備えることができる。閉鎖手段は、閉鎖ハウジング手段、閉鎖ピン手段、トリガ手段、および閉鎖バネ手段を備えることができる。閉鎖バネ手段は、開放バネ手段よりも強力にすることができる。開放手段および閉鎖手段が単独の機構によって提供される場合、開放ピン手段および閉鎖ピン手段は単独のピンを備えることができる。
【００１８】
第１の部分は、トリガ手段が始動されて、閉鎖バネ手段が第１の部分を（閉鎖ピン手段を介して）閉鎖構造に移動させるときに開放構造から閉鎖構造に移動するように構成することができる。第１の部分が閉鎖構造に向かって移動するにつれ、閉鎖バネ手段は開放バネ手段よりも強力であるため、開放ピン手段と開放バネ手段とは同時に移動するように構成することができる。
【００１９】
閉鎖手段は、開放手段が係合される前に、機械的にリセットされるように、またトリガ手段は適所に係止されるように構成することができる。開放手段は、開放バネ手段と開放ピン手段とを介して開放構造で第１の部分を付勢するように構成することができる。このようにして、バルブプレートの両側の圧力が均等になる、あるいは略均等になると、第１の部分は閉鎖構造から開放構造に自動的に移動する。
【００２２】
一実施形態では、開放装置は選択的に始動可能にすることができる。たとえば、開放手段は、バルブ全体にわたる圧力差が所定レベルを下回り、開放力生成手段を作動させるときを判定するセンサ手段を備えることができる。
【００２４】
始動後、閉鎖手段は、第１の部分が閉鎖構造を取るまで閉鎖力を提供するように構成することができる。
一実施形態では、閉鎖エネルギーが回復される、あるいは少なくとも部分的に回復される。たとえば、閉鎖エネルギーは、バネまたは磁石によって回復させる、あるいは少なくとも部分的に回復させることができる。
【００２５】
閉鎖事象は通常、第２の部分に対する第１の部分の正の位置を必要とするため、この正の位置を確保するために閉鎖力の一部が閉鎖時に残っていることが好ましい。
閉鎖手段によって生成される閉鎖力は、開放手段によって生成される開放力よりも実質上大きくすることができる。このようにして、閉鎖事象は常に閉鎖を導く。
【００２６】
一実施形態では、第１および第２の部分は、第１の部分と第２の部分との間の相対運動（たとえば、振動運動）を制御する相互に係合可能な部分を備える。一実施形態では、相互に係合可能な部分は、１つまたは複数の位置ピンと、１つまたは複数の位置ピンを収容する対応する１つまたは複数のスロットとを備える。このように、第１の部分と第２の部分との間の相対運動をスロットによって形成する通路内で移動するように制限することによって、第１の部分と第２の部分との間の相対運動の方向と距離の両方を制御することができる。
【００２７】
一実施形態では、第２の部分に対する第１の部分の運動は、第１の部分が単独の直線または単独の弧上で第２の部分に対して後退または前進し、他の方向への移動が最小限にとどめられるように、２つまたはそれ以上の正確に配置され寸法を調整された位置ピンによって制限される。好都合なことに、このような構造の使用によって、第１の部分と第２の部分との間の運動を、精密な始動機構を設ける必要なく正確に制御することができる。一実施形態では、第１および第２の部分が開放構造または閉鎖構造をとると、第１の部分と第２の部分のうちの一方が他方の部分で誘導ピンと接触する停止ピンをさらに備えることができる。
【００２８】
プレート状部材が重心の後ろに位置する点から押される場合、プレート状部材を制して保持するのに必要な正確な誘導が必要となる場合がある。
一実施形態では、第１の部分は第１の開口のアレイを備え、第２の部分は第２の開口のアレイを備える。第１の構造において第１および第２の開口のアレイが一致せず、第２の構造において第１および第２の開口のアレイが一致するように、第１の部分は第２の部分に対して横方向に移動可能である。
【図面の簡単な説明】
【００２９】
【図１ａ】本発明に係る第１のバルブ機構の概略断面図。
【図１ｂ】本発明に係る第１のバルブ機構の概略断面図。
【図１ｃ】本発明に係る第１のバルブ機構の概略断面図。
【図２ａ】本発明に係る第２のバルブ機構の概略断面図。
【図２ｂ】本発明に係る第２のバルブ機構の概略断面図。
【図２ｃ】本発明に係る第２のバルブ機構の概略断面図。
【図２ｄ】本発明に係る第２のバルブ機構の概略断面図。
【図３ａ】本発明に係るバルブ機構を組み込んだ複動ピストンの概略図。
【図３ｂ】図３ａに示すピストンのバルブ機構の概略断面図。
【図４ａ】図３ａのピストンのバルブ手段の開放手段の概略図。
【図４ｂ】図３ａのピストンのバルブ手段の開放手段の概略図。
【図５ａ】図３ａのピストンのバルブ手段の閉鎖手段の概略図。
【図５ｂ】図３ａのピストンのバルブ手段の閉鎖手段の概略図。
【発明を実施するための形態】
【００３０】
本発明の実施形態を以下の添付図面を参照して例として説明する。
図１ａ〜図１ｃは、バルブプレート手段１１と、バルブ封止面手段１２と、開放ピン手段１３と、閉鎖ピン手段１４と、閉鎖スロット手段１５とを備えるバルブ手段１０を示す。バルブ手段１０は、バルブ手段１０を通って流体を通過させるためにバルブプレート手段１１およびバルブ封止面１２の対応する開口（図示せず）が一致する開放位置と、バルブ手段１０を通る流体の通過を阻むためにバルブプレート手段１１およびバルブ封止面１２の対応する開口が完全に食い違う閉鎖位置との間で、バルブ封止面手段１２に対してバルブプレート手段１１を移動させることによって開放または閉鎖させることができる。
【００３１】
図１ａで、バルブ手段１０は開放位置にあるバルブプレート手段１１と共に示されている。開放位置をとるため、バルブプレート手段１１の開口（図示せず）がバルブ封止面手段１２の開口（図示せず）と並ぶように、バルブプレート手段１１は開放ピン手段１３によって閉鎖位置から開放位置へ移動させられる。
【００３２】
開放ピン手段１３は、圧力均等化または略圧力均等化の時点でバルブ手段１１を第１の位置に移動させるため、プレート接触点手段１６に力ｘを（たとえば、バネによって印加される付勢力の結果として）印加する。バルブプレート手段１１は、閉鎖スロット手段１５の接触点手段１７で閉鎖ピン手段１４に近づいて、あるいは接触して停止する。
【００３３】
この構造において、バルブプレート手段１１の位置は、単純に開放ピン手段１３および閉鎖ピン手段１４によって制御される。図１ｂは、バルブ封止面手段１２の開口が バルブプレート手段１１によって封止して閉鎖されるように、閉鎖位置にあるバルブプレート手段１１を示す。
【００３４】
開放位置から閉鎖位置へバルブプレート手段１１を移動させるため、閉鎖ピン手段１４は、接触点１６で印加された開放ピン手段１３の抵抗力ｘに打ち勝つように、接触点手段１７でバルブプレート手段１１に力ｙを印加している。力ｙは力ｘより大きいため、プレートは閉鎖位置に移動する。
【００３５】
閉鎖構造において、圧力差Ｐがバルブ手段１０にわたって印加され、バルブプレート手段１１をバルブ封止面手段１２に押し付けて封止する。この圧力Ｐは通常動作では、力ｘと力ｙよりもかなり大きい。
【００３６】
図１ｃは、係止機構がリセットされた後に閉鎖位置での圧力Ｐによってバルブ封止面手段１２に対して係止されたバルブプレート手段１１を示す。
係止機構をリセットするため、閉鎖ピン手段１４は、閉鎖スロット手段１５の端部に接触しないように、しかもバルブプレート手段１１に力を印加しないように閉鎖スロット手段１５内で再ロードされ移動されている。開放ピン手段１３は、接触点手段１６を介してバルブプレート手段１１に力ｘを印加している。圧力差が圧力均等化または略圧力均等化に至ると、開放ピン手段１３はバルブプレート手段１１を開放位置まで戻るように移動させることができる。
【００３７】
大きなバルブ面積の場合、小さな圧力差がバルブプレート手段１１上に大きな力を生成して該プレート手段を適所に係止し、その力は封止圧を提供するために使用することもできる。開口密度は、必要に応じて単独の開口から任意数の開口まで変動させることができる。小さな開口は、迅速な始動を提供する短い行程につながる。また、所与のプレート材料および厚みに対するより大きな圧力担持能力につながる。このように、開口が小さいほど、より迅速な始動とより低いプレート質量の両方が可能になる。軽量プレートを開放するのに必要な力は封止力に対して非常に小さいため、バルブ全体にわたる圧力差が非常に小さい、あるいは存在しないときはプレートを単に移動させるが、これは圧力均等化または略圧力均等化の時点で生じ、次いでバルブを閉鎖位置から開放位置へ移動させ、その他の力は全く含まれない。
【００３８】
開放装置の最初の開放力が増加させられると、バルブプレート手段１１が解放する圧力差も増加するが、サイクル圧に対してはまだ低いままであり得る。ただし、より大きな力は通常、より迅速なバルブ開放時間を確保し、多くの用途において有益になり得る。
【００３９】
この最初の開放力は、低圧および／または低速用途において大きさを低減し、高圧および／または高速動作において大きさを増加させるために各種手段によって動作中に変動させることができる。システム内の圧力がバルブの良好な圧力係止を確保するのに十分なほど増加しないとき、この最初の開放力を始動時に低くしておくことが有効であるかもしれない。
【００４０】
また、全体の開放力プロファイルをその形状において変動させることができる。包括的ではないが、その組み合わせのいくつかを簡単に挙げると、全体の移動範囲にわたって略一定の力にすることができる、最初は大きく最後は低くすることができる、あるいは、最初は低くして次第に増加させた後、エネルギーの一部を回復するまで逆転させるように非線形とすることができる。
【００４１】
開放装置はバルブプレート手段１１に力を一定に印加することができる、あるいはサイクルの特定の部分のためだけに現れることができる。とり得る構成は多数あるが、最も単純な構成は、閉鎖位置から開放位置へバルブプレート手段１１を移動させるように力を印加するバネを使用することである。開放装置は、略一定の力を印加することができる。
【００４２】
開放装置の力は、機械、水圧、空気圧、磁気、電気、またはその他の適切な力の生成手段とすることができる。閉鎖装置の力は、機械、水圧、空気圧、磁気、電気、またはその他の適切な力の生成手段とすることができる。
【００４３】
閉鎖装置は、サイクル中の特定の時点で始動させられ、その機能はバルブ手段１０を開放位置から閉鎖位置へ移動させることである。これがサイクル中に行われる時点は変動させることができるが、原則的には閉鎖事象は制御された時点で生じる。また、圧力差がバルブプレート手段１１をバルブ封止面手段１２に対して強制的に押し付ける方向に存在する場合にのみバルブは封止する。バルブ手段１０はサイクル中のこの段階で開放され、この事象がサイクル時間に対して迅速であることが重要である。バルブ手段１０を通る空気流が閉鎖時点で大きい（たとえば、閉鎖が中間サイクルで起こる場合、この最大値が通常ピストン内で生じる）、圧力差を増加させ、完全に閉鎖される前にバルブプレート手段１１を適所に係止することができるが、このことは重大な性能上の問題となる。
【００４４】
閉鎖装置はバルブプレート手段１１を閉鎖位置に移動させる必要があり、その後で圧力差がバルブプレート手段を適所に係止し、閉鎖力を除去することができる。たとえば、閉鎖装置が機械的にトリガされるバネであって、開放装置が単純なバネである場合、圧力均等化が生じるときに開放装置がバルブプレート手段１１を開放することができるように閉鎖装置をリセットすることができる。このリセット事象は、実際のバルブ閉鎖時間よりも遅く起こる。唯一の基準は、リセット事象が、開放装置を「発射させる」必要がある前に起きなければならないことだけである。閉鎖時間は、リセットよりもずっと速くすることができ、閉鎖時間はピストン速度などのその他の変数とは無関係である。
【００４５】
閉鎖はカムまたはその他の装置によって駆動させることができるが、可能な場合は、閉鎖が毎回迅速で正確に行われることを確保するため予荷重トリガが利用される。閉鎖がピストン位置とカムとによって駆動される場合、速い閉鎖時間を達成するために、上死点（ＴＤＣ）または下死点（ＢＤＣ）近くにおけるバルブ事象がかなり遅いか、あるいはカムの荷重がずっと高いことを意味する。
【００４６】
特定の構成では、このバルブで圧力範囲と開放時間との間でトレードオフをすることができる。通常は開放力が強いほど、開放時間が速くなり、バルブを解放する圧力差が大きくなる。従来のバルブと比べると、この圧力差はまだ非常に小さいが、バルブが圧力差によって係止されるので始動時に圧力範囲がない場合（両側とも加圧されていない）にこの圧力差が関係する可能性があり、圧力差がない場合は閉鎖して係止されない。したがって、これが問題となる場合、開放力を２つの空間の間の圧力範囲に関連付けるために使用可能な多くの手段（たとえば、機械式、空気式、磁気式等）がある。つまり、２つの空間の間の圧力範囲が増加するにつれて開放力が増加して、正確な動作とより迅速な運転が可能になることを意味する。
（図２ａ〜２ｄ）
図２ａ〜２ｄは、バルブプレート手段１１１と、バルブ封止面手段１１２と、開放ピン手段１１３と、閉鎖ピン手段１１４と、位置ピン１１５および１１６と、スロット手段１１７、１１８、および１１９とを備えるバルブ手段１１０を示す。バルブ手段１１０を通って流体を通過させるためにバルブプレート手段１１１およびバルブ封止面手段１１２の対応する開口（図示せず）が一致する開放位置と、バルブ手段１１０を通る流体の通過を阻むためにバルブプレート手段１１１およびバルブ封止面１１２の対応する開口が完全に食い違う閉鎖位置との間で、バルブ封止面手段１１２に対してバルブプレート手段１１１を移動させることによって、バルブ手段１１０を開閉させることができる。
【００４７】
図２ａでは、バルブプレート手段１１１は開放ピン手段１１３によって閉鎖位置から開放位置に移動させられているため、バルブプレート手段１１１の開口はバルブ封止面手段１１２の対応する開口と揃っている。
【００４８】
開放ピン手段１１３は、圧力均等化または略圧力均等化の時点でバルブプレート手段１１１を開放位置に移動させるためにプレート接触点手段１２０でプレートに力ｘを印加している。バルブプレート手段１１１は、接触点手段１２１を介して位置ピン１１６によって停止させられる。位置ピン手段１１５と閉鎖ピン手段１１４は好ましくは、スロット手段１１７および１１８の端部と接触しない。ただし、該プレートを正しく整列させておくのを助けるため、スロット手段１１７および１１９の側部は位置ピン１１５および１１６と接触していることが好ましい。
【００４９】
この構造において、バルブプレート手段１１１の位置は好ましくは、位置ピン手段１１６によりピンと張った状態で保持されているバルブプレート手段１１１によって単に制御され、そこで位置ピン手段１１６は正確な停止位置を有効に提供する。バルブが開放されているとき、バルブ全体にわたる圧力差は存在しない。
【００５０】
図２ｂは、閉鎖位置にあるバルブプレート手段１１１を示す。バルブ手段１１０は閉鎖ピン手段１１４によって開放位置から閉鎖位置に移動させられているため、バルブ封止面手段１１２内のポートはバルブプレート手段１１１によって閉鎖され封止されている。
【００５１】
閉鎖ピン手段１１４はトリガによって始動され、開放ピン手段１１３の抵抗力ｘに打ち勝つためプレート接触点手段１２３に力ｙを印加する。ｙはｘより大きいため、バルブプレート手段１１１は接触点手段１２２を介して位置ピン手段１１５と接触するまで移動する。
【００５２】
この構造において、圧力差Ｐがバルブ手段１１０全体にわたり印加され、バルブプレート手段１１１をバルブ封止面手段１１２に押し付けて係止する。この圧力Ｐは通常動作では、開放力ｘと閉鎖力ｙの大きさよりもかなり大きい。
【００５３】
位置ピン手段１１６は好ましくは、スロット手段１１９の端部と接触していない。ただし、該プレートを正しく整列させておくのを助けるため、スロット手段１１７および１１９の側部は位置ピン１１５および１１６と接触していることが好ましい 。
【００５４】
この構造において、バルブプレート手段１１１の最初の位置は好ましくは、位置ピン手段１１５によりピンと張った状態で保持されているバルブプレート手段１１１によって単に制御され、そこで位置ピン手段１１５は正確な停止位置を有効に提供する。ただし、いったん圧力差Ｐが印加されれば、バルブプレート手段１１１は圧力が圧力均等化または略圧力均等化の時点で低下するまで移動しない。
【００５５】
図２ｃは、係止機構がリセットされた後に閉鎖位置で圧力Ｐによってバルブ封止面手段１１２に押し付けられて係止されたバルブプレート手段１１１を示す。
バルブプレート手段１１１は圧力によって適所に係止されているため、スロット手段１１８の対向端部と非常に軽くだけ接触する、あるいは好ましくは該端部と接触しないように、スロット手段１１８の該端部の方に閉鎖ピン手段１１４を移動させることができる。この位置で、バルブプレート手段１１１は、閉鎖ピン１１４をスロット手段１１８の端部と実際に接触させないで開放位置まで移動することができる。このように、閉鎖機構は有効に「リセット」されている。バルブプレート手段１１１は圧力差Ｐのため移動できない。
【００５６】
図２ｄは、圧力均等化または略圧力均等化の時点で、図２ａに示す開放位置まで移動したバルブプレート１１１を示す。
（図３ａ）
図３ａは、複数の封止ポート６０を含むピストン面手段２と、保持プレート手段４０２と、バルブプレート手段４０１と、開放手段１００と、閉鎖手段２００とを有するバルブ手段５０を備える複動ピストン手段１の概略図である。
（図３ｂ）
図３ｂは、開放バネ手段１０１、開放ピン手段１０２、および開放ハウジング手段１０３を備える開放手段１００と、閉鎖バネ手段２０１、閉鎖ハウジング手段２０３、トリガ手段２０４、および閉鎖ピン手段２０２、トリガスロット手段２０５およびリセットローラ２０６を有する閉鎖シャフト手段２０７を備える閉鎖手段２００と、駆動シャフト手段２５０と、リセットカム手段３０１およびトリガ停止手段３０２を備える定置制御ロッド手段３００と、バルブ封止面手段４００と、バルブプレート手段４０１と、保持プレート手段４０２と、位置ピン手段４０３および４０４と、を備えるバルブ手段５０を示す。
【００５７】
バルブ全体にわたる圧力差がないときにバルブプレート手段４０１がバルブ封止面手段４００と平行な方向に自由に摺動できるように、バルブ封止面手段４００と保持プレート手段４０２はその間にバルブプレート手段４０１を挟む。
【００５８】
開放手段１００と閉鎖手段２００はどちらも保持プレート手段４０２上に配置される。開放ピン手段１０２と閉鎖ピン手段２０２はバルブプレート手段４０１を通過して、バルブ封止面手段４００のスロットに入る。位置ピン手段４０３および４０４は、バルブ封止面手段４００の凹部に位置する。
【００５９】
これらのアイテムはすべて、上下に移動可能な駆動シャフト手段に装着される。定置制御ロッド手段３００は、駆動シャフト手段２５０内に配置される。制御ロッド手段３００上には、リセットカム手段３０１とトリガ停止手段３０２が配置される。これらのアイテムはすべて定置式であり、駆動シャフト手段２５０および装着構造はこれらの部品を超えて上下に移動する。
【００６０】
開放ピン手段１０２が開放バネ手段１０１を圧縮する方向に移動させられると、開放バネ手段１０１は、バルブ全体にわたる圧力差が圧力均等化または略圧力均等化にあるときに開放ピン手段１０２を介してプレートバルブ手段４０１を開放するために利用可能な抵抗力を提供する。
【００６１】
リセットローラ手段２０６はリセットカム手段３０１に沿って移動すると、閉鎖バネ手段２０１が圧縮されてトリガ手段２０４がトリガスロット手段２０５内に落下するように、閉鎖シャフト手段２０７を閉鎖ハウジング手段２０３内に押し込む。リセットローラ手段２０６はリセットカム手段３０１を超えて移動し、閉鎖バネ手段２０１はトリガスロット手段２０５を介して閉鎖シャフト手段２０７をトリガ手段２０４に押し付ける。この位置において、開放手段は、圧力均等化または略圧力均等化で、バルブ手段を第２の位置から第１の位置へ移動させることができる。
【００６２】
トリガ手段２０４はトリガ停止手段３０２に接触すると、トリガ手段２０４をトリガスロット手段２０５の外へ持ち上げ、閉鎖バネ手段２０１は、閉鎖ピン手段２０２に装着されたバルブ手段が第１の位置から第２の位置に移動するように、閉鎖シャフト手段２０７を介して閉鎖ピン手段２０２を移動させる。
【００６３】
バルブ手段の第１の位置から第２の位置への移動が圧縮によって開放バネ手段を「再ロード」するように、閉鎖バネ手段２０１は開放バネ手段１０１より強力である。
（図４ａおよび図４ｂ）
図４ａおよび図４ｂは、開放バネ手段１０１と、開放ピン手段１０２と、開放ハウジング手段１０３とを備える開放手段１００を示す。
【００６４】
開放バネピン手段１０２が開放バネ手段１０１を圧縮する方向に移動すると、開放バネ手段１０１は、バルブ全体にわたる圧力差が圧力均等化または略圧力均等化にあるときに開放ピン手段１０２を介してバルブ手段（図示せず）を開放するために利用可能な抵抗力を提供する。
（図５ａおよび図５ｂ）
図５ａおよび図５ｂは、閉鎖バネ手段２０１と、閉鎖ハウジング手段２０３と、トリガ手段２０４と、閉鎖ピン手段２０２、トリガスロット手段２０５、およびリセットローラ２０６を有する閉鎖シャフト手段２０７とを備える閉鎖手段２００を示す。
【００６５】
リセットローラ手段２０６はリセットカム手段（図示せず）に沿って進むと、閉鎖バネ手段２０１が圧縮され、トリガ手段２０４がトリガスロット手段２０５内に落下するように、閉鎖シャフト手段２０７を閉鎖ハウジング手段２０３内に押し込む。リセットローラ手段２０６はリセットカム手段（図示せず）を超えて移動し、閉鎖バネ手段２０１はトリガスロット手段２０５を介して閉鎖シャフト手段２０７をトリガ手段２０４に押し付ける。この位置において、開放手段は、圧力均等化または略圧力均等化で、バルブ手段を第２の位置から第１の位置へ移動させることができる。
【００６６】
トリガ手段２０４はトリガ停止手段（図示せず）に接触すると、トリガ手段２０４をトリガスロット手段２０５の外へ持ち上げ、閉鎖バネ手段２０１は、閉鎖ピン手段２０２に装着されたバルブ手段が第１の位置から第２の位置に移動するように、閉鎖シャフト手段２０７を介して閉鎖ピン手段２０２を移動させる。
【００６７】
バルブ手段の第１の位置から第２の位置への移動が圧縮によって開放バネ手段を「再ロード」するように、閉鎖バネ手段２０１は開放バネ手段（図示せず）より強力である。
【図１ａ】
0005469084.tif 000002
【図１ｂ】
0005469084.tif 000003
【図１ｃ】
0005469084.tif 000004
【図２ａ】
0005469084.tif 000005
【図２ｂ】
0005469084.tif 000006
【図２ｃ】
0005469084.tif 000007
【図２ｄ】
0005469084.tif 000008
【図３Ａ】
0005469084.tif 000009
【図３Ｂ】
0005469084.tif 000010
【図４Ａ】
0005469084.tif 000011
【図４Ｂ】
0005469084.tif 000012
【図５Ａ】
0005469084.tif 000013
【図５Ｂ】
0005469084.tif 000014